(57)【要約】【課題】  ガレージや物置や温室等として用いられる蛇腹式テントに於て、クレーンがない場合やクレーンが使用できない屋内等に於ても、容易に設置できる様にする。【解決手段】  天井部６と支柱７を備えた複数の門型枠体２が前後方向に伸縮可能に設けられていると共に、各門型枠体２の支柱７が左右方向に折畳可能な蛇腹式テント１に於て、前記折畳状態の各門型枠体２を連結して自立させる連結手段５を設ける。連結手段５は、単一の連結板２９と、この連結板２９と各門型枠体２の天井部６とを着脱可能に締結する締結具３０とを備えている。【選択図】        図１
2005207021.tif 000002
【特許請求の範囲】
【請求項１】
天井部と支柱を備えた複数の門型枠体が前後方向に伸縮可能に設けられていると共に、各門型枠体の支柱が左右方向に折畳可能な蛇腹式テントに於て、前記折畳状態の各門型枠体を連結して自立させる連結手段を設けた事を特徴とする蛇腹式テント。
【請求項２】
連結手段は、単一の連結板と、この連結板と各門型枠体の天井部とを着脱可能に締結する締結具とを備えている請求項１に記載の蛇腹式テント。
【発明の詳細な説明】
【技術分野】
【０００１】
本発明は、例えばガレージや物置や温室等として用いられる蛇腹式テントの改良に関する。
【背景技術】
【０００２】
従来、この種の蛇腹式テントとしては、門型枠体の支柱を内側に折畳可能にしたものが知られている（特許文献１）。又、組立式テントに於ても、門型枠体の支柱を折畳可能にしたものが知られている（特許文献２）。
【０００３】
【特許文献１】特開平６−３２３０４２号公報
【特許文献２】実開平４−１９６１号公報
【発明の開示】
【発明が解決しようとする課題】
【０００４】
ところが、何れのものも、クレーンを用いて吊り上げる事に依り支柱を折畳状態から起立状態にする様にしていたので、クレーンがない場合やクレーンが使用できない屋内等に於ては、容易に設置する事ができなかった。
【０００５】
本発明は、叙上の問題点に鑑み、これを解消する為に創案されたもので、その課題とする処は、クレーンがない場合やクレーンが使用できない屋内等に於ても、容易に設置できる様にした蛇腹式テントを提供するにある。
【課題を解決するための手段】
【０００６】
本発明の蛇腹式テントは、基本的には、天井部と支柱を備えた複数の門型枠体が前後方向に伸縮可能に設けられていると共に、各門型枠体の支柱が左右方向に折畳可能な蛇腹式テントに於て、前記折畳状態の各門型枠体を連結して自立させる連結手段を設けた事に特徴が存する。
【０００７】
各門型枠体の支柱を折畳み位置にすると共に、連結手段に依り各門型枠体を連結して自立させる。そうすると、全高が低くなるので、膜体を各門型枠体に容易に被せる事ができる。その後、設置現場に配備されているフォークリフトを用いてそのフォークを各門型枠体の天井部の下に差し入れて持ち上げる。そうすると、各門型枠体の支柱が折畳状態から漸次起立して行き、起立状態になる。その後、連結手段に依る連結を解除し、各門型枠体を前後方向に伸長させる。そうすると、これらに被せられた膜体も拡げられて所定の空間を形成する事ができる。
折畳状態の各門型枠体を連結手段に依り連結して自立させる様にしたので、膜体が被せ易いと共に、フォークリフトのフォークで持ち上げる際に、フォークの挿入が容易に行える。
フォークリフトを用いて門型枠体の支柱を起立させる様にしたので、クレーンがない場合やクレーンが使用できない屋内等であっても、蛇腹式テントを容易に設置できる。
【０００８】
連結手段は、単一の連結板と、この連結板と各門型枠体の天井部とを着脱可能に締結する締結具とを備えているのが好ましい。この様にすれば、非常に簡単な構成に依り確実に連結する事ができる。
【０００９】
各門型枠体の支柱を横方向に折畳可能にする折畳手段は、各門型枠体の天井部と支柱との間に設けられた継手と、各門型枠体の天井部と継手との間に設けられてこれらを上下方向に離脱可能に固定する固定具と、継手と各門型枠体の支柱との間に設けられて支柱の上動時には継手と嵌合状態にし得ると共に支柱の下動時には支柱を折畳可能状態にし得る枢結機構と、継手と各門型枠体の支柱との間に設けられて支柱を嵌合状態に保持する保持具とを備えているのが好ましい。この様にすれば、支柱の起立時には、支柱が継手に嵌合されるので、強度が増大する。
【発明の効果】
【００１０】
本発明に依れば、次の様な優れた効果を奏する事ができる。
（１）  天井部と支柱を備えた複数の門型枠体が前後方向に伸縮可能に設けられていると共に、各門型枠体の支柱が左右方向に折畳可能な蛇腹式テントに於て、前記折畳状態の各門型枠体を連結して自立させる連結手段を設けたので、クレーンがない場合やクレーンが使用できない屋内等であっても、蛇腹式テントを容易に設置できる。
（２）  折畳状態の各門型枠体を連結して自立させる連結手段を設けるだけであるので、構造が簡単でコストが余り掛からず、既存のものへも容易に適用できる。
【発明を実施するための最良の形態】
【００１１】
以下、本発明の実施の形態を、図面に基づいて説明する。
図１は、本発明の蛇腹式テントを示す正面図。図２は、図１の側面図。図３は、伸長状態を示す側面図。図４は、折畳状態を示す正面図。図５は、要部を拡大して示す正面図。図６は、各門型枠体を連結してフォークリフトで持ち上げている状態を示す縦断側面図である。
【００１２】
蛇腹式テント１は、門型枠体２、伸縮手段３、折畳手段４、連結手段５とからその主要部が構成されている。
【００１３】
門型枠体２は、天井部６と支柱７とを備えて前後方向に配された複数のもので、この例では、天井部６と、これの両端から垂下された左右の支柱７と、これらの下部に設けられた車輪８とを備えて居り、五つのものが前後方向に配されている。
天井部６は、丸パイプ製の弧状材９と、これらの下部同士を連結する角パイプ製の梁材１０と、これらの中央同士を連結するパイプ製の縦材１１とを備えている。
最外端に位置する前後の天井部６の内側、つまり最前端の天井部６の梁材１０の後側と最後端の天井部６の梁材１０の前側には、梁材１０と略同長のカーテンレール１２が付設されている。
支柱７は、角パイプ製にしてあり、下部には、矩形状の座板１３が設けられている。
車輪８は、支柱７の座板１３の下部に設けられて居り、路面上を転動し得る旋回可能なキャスタにしてあり、最外端に位置する前後のものは、ブレーキ付きにしてある。
而して、各門型枠体２の外側には、膜体（テントシート）１４が覆い被せられると共に、カーテンレール１２には、カーテン１５が吊り下げられる。
【００１４】
伸縮手段３は、各門型枠体２を前後方向に伸縮可能に連結するもので、この例では、各門型枠体２の支柱７間に設けられて上下端のうち一方（下端）が各支柱７に枢結されて各支柱７を前後方向に伸縮可能に連結するＸ型リンク１６と、各支柱７に設けられる上下方向の案内杆１７と、Ｘ型リンク１６の上下端のうち他方（上端）に設けられて各案内杆１７に遊嵌される環体１８とを備えている。
Ｘ型リンク１６は、二つの角パイプ製のリンクがＸ型にされてその交点が横軸（ボルトと袋ナット）１９に依り枢結されたものが左右に四つづつ設けられている。
各Ｘ型リンク１６の下端のうち最外端に位置する前後のものは、横軸（植付けボルトとカラーと袋ナット）２０に依り支柱７の下側内面に枢結されていると共に、これ以外のものは、隣接するものどうしが重ねられて同一の横軸２０に依り支柱７に枢結されている。各Ｘ型リンク１６の上端のうち最外端に位置する前後のものは、横軸（頭部なしボルトと袋ナット）２１が設けられていると共に、これ以外のものは、隣接するものどうしが重ねられて同一の横軸２１に依り枢結されている。
案内杆１７は、略コ型を呈し、丸棒を折曲して作製してあり、両端が各支柱７の上側内面に溶接に依り取付けられている。
環体１８は、アイナットにしてあり、支柱７に溶接する前の案内杆１７に挿通されて居り、各Ｘ型リンク１６の上端に設けられた横軸２１（頭部なしボルト）に螺合して取付けられている。
【００１５】
折畳手段４は、各門型枠体２の支柱７を横方向に折畳可能にするもので、この例では、各門型枠体２の天井部６と支柱７との間に設けられた継手２２と、各門型枠体２の天井部６と継手２２との間に設けられてこれらを上下方向に離脱可能に固定する固定具（ボルト）２３と、継手２２と各門型枠体２の支柱７との間に設けられて支柱７の上動時には継手２２と嵌合状態にし得ると共に支柱７の下動時には支柱７を折畳可能状態にし得る枢結機構２４と、継手２２と各門型枠体２の支柱７との間に設けられて支柱７を嵌合状態に保持する保持具（ボルトとナット）２５とを備えている。
枢結機構２４は、継手２２に設けられた縦長の長穴２６と、支柱７に穿設された貫孔（図示せず）と、これらに挿通されて継手２２と支柱７とを枢結する枢結具（ボルトと袋ナット）２７と、継手２２に設けられて折畳位置の支柱７との干渉を回避する切欠２８とを備えている。
【００１６】
連結手段５は、折畳状態の各門型枠体２を連結して自立させるもので、この例では、単一の連結板２９と、連結板２９と各門型枠体２の天井部６とを着脱可能に締結する締結具３０とを備えている。連結板２９は、門型枠体２と同数の通孔（図示せず）を備えて居り、これらは、折畳状態の各門型枠体２が転倒しない様に自立すべく所定間隔毎に穿設されている。締結具３０は、各門型枠体２の天井部６の梁材１０に上向きに植設されて連結板２９の通孔に挿通されるボルトと、これに螺合されるナットとを備えている。
【００１７】
蛇腹式テント１は、この他に、伸長状態を保つ為の伸長保持手段３１を備えている。
伸長保持手段３１は、この例では、各門型枠体２の隣接する支柱７間のうちの一つ置きに介設されて居り、倒立略Ｕ型を呈する丸パイプ製の保持杆３２と、支柱７の内面に溶接に依り設けられて保持杆３２の両端が着脱可能に嵌合される丸パイプ製の受筒３３とを備えている。
【００１８】
蛇腹式テント１の設置の際に用いられるフォークリフトＡは、設置現場に配備された一般的なものであり、昇降可能なフォークＢを備えている。
【００１９】
次に、この様な構成に基づいてその作用を述解する。
各門型枠体２は、図４及び図６に示す如く、支柱７が折畳手段４に依り折畳状態にされると共に、連結手段５に依り連結されて自立される。この場合、左右の支柱７が左右一方向に折畳められているので、支柱７同士が干渉して自立を妨げる心配がない。
各門型枠体２が折畳状態にされて自立されると、この外側に膜体１４が被せられると共に、フォークリフトＡのフォークＢが各門型枠体２の梁材１０の下に差し入れられて持ち上げられる。そうすると、各門型枠体２の支柱７が折畳状態から漸次起立されて行き、図１に示す如く、起立状態にされる。
各門型枠体２の支柱７が起立状態にされると、連結手段５に依る連結が解除されて、図３に示す如く、各門型枠体２が伸縮手段３に依り前後方向に伸長される。そうすると、各門型枠体２に被せられた膜体１４も拡げられて所定の空間が形成される。そして、カーテンレール１２には、カーテン１５が取付けられる。
【００２０】
蛇腹式テント１は、車輪（キャスタ）８を備えているので、使用時には伸長させると共に、不使用時には収縮させて適宜の保管場所に移動する事ができる。
蛇腹式テント１は、膜体１４やカーテン１５を透明なものにすれば、温室に利用する事ができる。
【００２１】
折畳状態の各門型枠体２を連結手段５に依り連結して自立させる様にしたので、膜体１４が被せ易いと共に、フォークリフトＡのフォークＢで持ち上げる際に、フォークＢの挿入が容易に行える。
フォークリフトＡを用いて門型枠体２の支柱７を起立させる様にしたので、クレーンがない場合やクレーンが使用できない屋内等であっても、蛇腹式テント１を容易に設置できる。
【００２２】
尚、門型枠体２は、先の例では、五つであったが、これに限らず、例えばこれ以外の複数でも良い。
連結手段５は、先の例では、連結板２９と締結具３０とを備えていたが、これに限らず、例えば図７に示す如く、連結板３４と、これに所定間隔毎に固定されていると共に弾性を有して門型枠体２の梁材１０（最外端のものは梁材１０とカーテンレール１２）に上から着脱可能に嵌合される挾持板３５とを備えたものでも良い。この様なものは、門型枠体２の梁材１０に対してワンタッチで装着又は離脱できるので、各門型枠体２の連結作業が迅速且つ簡単に行える。
天井部６は、先の例では、梁材１０や縦材１１を備えていたが、これに限らず、例えばこれらを適宜割愛しても良い。梁材１０を割愛した場合は、連結手段５を弧状材９の下側に設け、この弧状材９をフォークリフトＡのフォークＢで持ち上げる様にするのが望ましい。
支柱７は、先の例では、左右の支柱７が左右一方向（左方又は右方）に折畳まれる様にしたが、これに限らず、例えば特許文献１に記載されている如く、左右の支柱７が内側に折畳める様にしたり、逆に図８に示す如く、左右の支柱７が外側に折畳める様にしても良い。
車輪８は、先の例では、キャスタであったが、これに限らず、例えばレールに案内されてこの上を転動する軌道輪でも良い。
【図面の簡単な説明】
【００２３】
【図１】本発明の蛇腹式テントを示す正面図。
【図２】図１の側面図。
【図３】伸長状態を示す側面図。
【図４】折畳状態を示す正面図。
【図５】要部を拡大して示す正面図。
【図６】各門型枠体を連結してフォークリフトで持ち上げている状態を示す縦断側面図。
【図７】連結手段の他の例を示す縦断側面図。
【図８】支柱の折畳状態の他の例を示す正面図。
【符号の説明】
【００２４】
１…蛇腹式テント、２…門型枠体、３…伸縮手段、４…折畳手段、５…連結手段、６…天井部、７…支柱、８…車輪、９…弧状材、１０…梁材、１１…縦材、１２…カーテンレール、１３…座板、１４…膜体、１５…カーテン、１６…Ｘ型リンク、１７…案内杆、１８…環体、１９…横軸、２０…横軸、２１…横軸、２２…継手、２３…固定具、２４…枢結機構、２５…保持具、２６…長穴、２７…枢結具、２８…切欠、２９…連結板、３０…締結具、３１…伸長保持手段、３２…保持杆、３３…受筒、３４…連結板、３５…挾持板、Ａ…フォークリフト、Ｂ‥フォーク。
【図１】
2005207021.tif 000003
【図２】
2005207021.tif 000004
【図３】
2005207021.tif 000005
【図４】
2005207021.tif 000006
【図５】
2005207021.tif 000007
【図６】
2005207021.tif 000008
【図７】
2005207021.tif 000009
【図８】
2005207021.tif 000010